【手続補正書】
【提出日】平成15年7月1日(2003.7.1)
【手続補正１】
【補正対象書類名】明細書
【補正対象項目名】特許請求の範囲
【補正方法】変更
【補正の内容】
【特許請求の範囲】
【請求項１】
予め決められた信号バンド幅内で変化する信号のブロックにバイナリーコードビットを付加するための方法であって、該方法は、以下のステップ、即ち、
ａ）前記予め決められた信号バンド幅内の参照周波数を選択し、前記参照周波数からの第１の予め決められたオフセットを有する第１のコード周波数と、前記参照周波数からの第２の予め決められたオフセットを有する第２のコード周波数との両方をこれに関連づけるステップと、
ｂ）前記第１のコード周波数の周囲に広がる周波数の第１の近傍と、前記第２のコード周波数の周囲に広がる周波数の第２の近傍とに於ける前記ブロック内の前記信号のスペクトルパワーを計測するステップと、
ｃ）前記第１のコード周波数に於ける前記スペクトルパワーを前記周波数の第１の近傍に於いて最大にするように、前記第１のコード周波数に於ける前記スペクトルパワーを増大させるステップと、
ｄ）前記第２のコード周波数に於ける前記スペクトルパワーを前記周波数の第２の近傍に於いて最小にするように、前記第２のコード周波数に於ける前記スペクトルパワーを減少させるステップと
を包含している方法。
【請求項２】
請求項１記載の方法であって、前記第１及び第２のコード周波数は、前記参照周波数、ホップシーケンス数、及び予め決められたシフトインデックスに従って選択される方法。
【請求項３】
請求項１記載の方法であって、前記第１及び第２のコード周波数は、以下の式に従って選択される方法。
【数１】
2002521702.tif 000001
及び
【数２】
2002521702.tif 000002
ここで、Ｉ5kは参照周波数、ＨSは周波数ホップシーケンス数、−Ｉshiftは第１の予め決められたシフトインデックス、＋Ｉshiftは第２の予め決められたシフトインデックスである。
【請求項４】
請求項１記載の方法であって、前記参照周波数は、以下のステップに従うステップａ）で選択される方法：
ａ１）前記バンド幅の予め決められた部分内で前記信号が最大スペクトルパワーを有する周波数を見出すステップ、及び
ａ２）最大スペクトルパワーのその周波数に予め決められた周波数シフトを加えるステップ。
【請求項５】
請求項４記載の方法であって、前記信号は音声信号であり、前記バンド幅の予め決められた部分は、最低の周波数から２ｋＨｚだけ広がったバンド幅のより低い部分を有しており、前記予め決められたシフト周波数は、実質的に５に等しい方法。
【請求項６】
請求項１記載の方法であって、前記第１及び第２のコード周波数は、以下の式に従って選択される方法。
【数３】
2002521702.tif 000003
及び
【数４】
2002521702.tif 000004
ここで、Ｉ5kは参照周波数、Ｉmaxは前記信号が最大のスペクトルパワーを有する周波数に対応するインデックス、数、−Ｉshiftは第１の予め決められたシフトインデックス、及び＋Ｉshiftは第２の予め決められたシフトインデックスである。
【請求項７】
請求項１記載の方法であって、前記信号に同期化ブロックが加えられ、前記同期化ブロックは三重音部分によって特徴付けられている方法。
【請求項８】
請求項１記載の方法であって、前記信号は、前記参照信号、前記第１のコード周波数、及び前記第２のコード周波数の近傍に於いて最大であるスペクトル振幅を有している方法。
【請求項９】
請求項８記載の方法であって、前記信号に同期化ブロックが加えられ、前記同期化ブロックは三重音部分によって特徴付けられている方法。
【請求項１０】
請求項１記載の方法であって、前記第１及び第２の予め決められたオフセットが等しい大きさで符号が反対である方法。
【請求項１１】
請求項１記載の方法であって、前記第１のコード周波数が、前記参照信号より大きく、前記第２のコード周波数が、前記参照信号より小さい方法。
【請求項１２】
請求項１記載の方法であって、前記第２のコード周波数が、前記参照信号より大きく、前記第１のコード周波数が、前記参照信号より小さい方法。
【請求項１３】
請求項１記載の方法であって、前記ステップａ）−ｄ）を何度も繰り返すことにより、前記信号に複数のバイナリーコードビットが付加される方法。
【請求項１４】
スペクトルの振幅と位相とを有する信号のブロックにバイナリーコードビットを付加するための方法であって、前記スペクトルの振幅と位相との両方が、予め決められた信号バンド幅内で変化し、該方法は、以下のステップ、即ち、
ａ）前記ブロック内で、(ｉ)前記予め決められたバンド幅内に於ける参照周波数と、(ｉｉ)前記参照周波数からの第１の予め決められたオフセットを有する第１のコード周波数と、(ｉｉｉ)前記参照周波数からの第２の予め決められたオフセットを有する第２のコード周波数とを選択するステップと、
ｂ）前記第１のコード周波数の近傍の前記信号のスペクトル振幅を、前記第２のコード周波数の近傍の前記信号のスペクトルの振幅と比較するステップと、
ｃ）対応するスペクトル振幅がより小さい修正可能な信号成分となるべき前記第１及び第２のコード周波数の一方に於いて前記信号の一部分を選択し、そして、参照信号成分となるべき前記第１及び第２のコード周波数の他方に於いて前記信号の一部分を選択するステップと、
ｄ）前記修正可能な信号成分の位相を、それが前記参照信号成分の位相から予め決められた量だけ異なるように、選択的に変更するステップと、を包含している方法。
【請求項１５】
請求項１４記載の方法であって、前記第１及び第２の周波数が前記参照周波数、周波数ホップシーケンス、及び予め決められたシフトインデックスに従って選択される方法。
【請求項１６】
請求項１４記載の方法であって、前記第１及び第２のコード周波数が以下の式に従って選択される方法。
【数５】
2002521702.tif 000005
及び
【数６】
2002521702.tif 000006
ここで、Ｉ5kは参照周波数、ＨSは周波数ホップシーケンス数、−Ｉshiftは第１の予め決められたシフトインデックス、＋Ｉshiftは第２の予め決められたシフトインデックスである。
【請求項１７】
請求項１４記載の方法であって、前記参照周波数は、以下のステップに従うステップａ）で選択される方法：
ａ１）バンド幅の予め決められた部分内で前記信号が最大スペクトル振幅を有する周波数を見出すステップ、及び
ａ２）最大スペクトル振幅のその周波数に予め決められた周波数シフトを加えるステップ。
【請求項１８】
請求項１７記載の方法であって、前記信号は音声信号であり、前記バンド幅の予め決められた部分は、最低の周波数から２ｋＨｚだけ広がったバンド幅のより低い部分を有しており、前記予め決められたシフト周波数は、実質的に５に等しい方法。
【請求項１９】
請求項１４記載の方法であって、前記第１及び第２のコード周波数は、以下の式に従って選択される方法。
【数７】
2002521702.tif 000007
及び
【数８】
2002521702.tif 000008
ここで、Ｉ5kは参照周波数、Ｉmaxは前記信号が最大のスペクトルパワーを有する周波数に対応するインデックス、数、−Ｉshiftは第１の予め決められたシフトインデックス、及び＋Ｉshiftは第２の予め決められたシフトインデックスである。
【請求項２０】
請求項１４記載の方法であって、前記信号に同期化ブロックが加えられ、前記同期化ブロックは三重音部分によって特徴付けられている方法。
【請求項２１】
請求項１４記載の方法であって、前記信号は、前記参照信号、前記第１のコード周波数、及び前記第２のコード周波数の近傍に於いて最大のスペクトル振幅を有している方法。
【請求項２２】
請求項２１記載の方法であって、前記信号に同期化ブロックが加えられ、前記同期化ブロックは三重音部分によって特徴付けられている方法。
【請求項２３】
請求項１４記載の方法であって、前記第１及び第２の予め決められたオフセットが等しい大きさで符号が反対である方法。
【請求項２４】
請求項１４記載の方法であって、前記第１のコード周波数が、前記参照信号より大きく、前記第２のコード周波数が、前記参照信号より小さい方法。
【請求項２５】
請求項１４記載の方法であって、前記第２のコード周波数が、前記参照信号より大きく、前記第１のコード周波数が、前記参照信号より小さい方法。
【請求項２６】
請求項１４記載の方法であって、前記ステップａ）−ｄ）を何度も繰り返すことにより、前記信号に複数のバイナリーコードビットが付加される方法。
【請求項２７】
時間変化する強度を有する信号とともに伝送されるデジタル的にエンコードされたメッセージを読み取るための方法であって、前記信号は信号バンド幅によって特徴付けられ、前記メッセージは複数のバイナリービットを有し、前記方法は、以下のステップ、即ち、
ａ）前記信号バンド幅内で参照周波数を選択するステップと、
ｂ）前記参照周波数からの第１の予め決められた周波数オフセットに於ける第１のコード周波数を選択するとともに、前記参照周波数からの第２の予め決められた周波数オフセットに於ける第２のコード周波数を選択するステップと、
ｃ）前記第１及び第２のコード周波数の何れの一つが、これに関連する、対応する周波数近傍内の最大値であるスペクトル振幅を有しているかを見出すとともに、前記第１及び第２のコード周波数の何れの一つが、これに関連する、対応する周波数近傍内の最小値であるスペクトル振幅を有しているかを見出し、これによって前記バイナリービットの受領した一つの値を決定するステップと
を包含している方法。
【請求項２８】
請求項２７記載の方法であって、以下のような三重音を見出すステップを有している方法：
（ｉ）前記受領した信号が、前記参照周波数で前記参照周波数の周波数近傍内の極大値であるスペクトル振幅を有し、
（ｉｉ）前記受領した信号が、第１のコード周波数で第１のコード周波数に対応する周波数近傍内の極大値であるスペクトル振幅を有し、
（ｉｉｉ）前記受領した信号が、第２のコード周波数で第２のコード周波数に対応する周波数近傍内の極大値であるスペクトル振幅を有している。
【請求項２９】
請求項２７記載の方法であって、前記第１及び第２の周波数が前記参照周波数、周波数ホップシーケンス、及び予め決められたシフトインデックスに従って選択される方法。
【請求項３０】
請求項２７記載の方法であって、前記第１及び第２のコード周波数は、以下のステップに従って選択される方法：
前記バンド幅の予め決められた部分内で前記信号のスペクトル振幅が最大である周波数を見出すステップ、及び
最大スペクトル振幅のその周波数に予め決められた周波数シフトを加えるステップ。
【請求項３１】
請求項３０記載の方法であって、前記信号は音声信号であり、前記バンド幅の予め決められた部分は、その最低の周波数からその上に２ｋＨｚ広がったバンド幅のより低い部分を有しており、前記予め決められたシフト周波数は、実質的に５に等しい方法。
【請求項３２】
請求項２７記載の方法であって、前記第１及び第２の予め決められたオフセットが等しい大きさで符号が反対である方法。
【請求項３３】
スペクトルの振幅と位相とを有する信号とともに伝送されるデジタル的にエンコードされたメッセージを読み取るための方法であって、前記信号は信号バンド幅によって特徴付けられ、前記メッセージは複数のバイナリービットを有し、前記方法は、以下のステップ、即ち、
ａ）前記信号バンド幅内で参照周波数を選択するステップと、
ｂ）前記参照周波数からの第１の予め決められた周波数オフセットに於ける第１のコード周波数を選択するとともに、前記参照周波数からの第２の予め決められた周波数オフセットに於ける第２のコード周波数を選択するステップと、
ｃ）前記第１及び第２のコード周波数のそれぞれの予め決められた周波数近傍内の前記信号の位相を決定するステップと、
ｄ）前記第１のコード周波数が、前記第２のコード周波数での前記位相の予め決められた値の範囲内にあるかどうかを決定し、それによって受け取られた前記バイナリービットの一つの値を決定するステップと、
を包含している方法。
【請求項３４】
請求項３３記載の方法であって、三重音を見出すステップを有し、その受け取られた信号が、前記参照周波数に於いて前記参照周波数の前記予め決められた周波数近傍内で極大であるスペクトル振幅を有し、その受け取られた信号が、前記第１及び第２のコード周波数のそれぞれに於いて、前記第１及び第２のコード周波数の前記予め決められた周波数近傍内のそれぞれで極大であるスペクトル振幅を有している方法。
【請求項３５】
請求項３３記載の方法であって、前記第１及び第２の周波数が、前記参照信号の周波数、周波数ホップシーケンス、及び予め決められたシフトインデックスに従って選択される方法。
【請求項３６】
請求項３３記載の方法であって、前記第１及び第２のコード周波数は、以下のステップに従って選択される方法：
前記バンド幅の予め決められた部分内で前記信号のスペクトル振幅が最大である周波数を見出すステップ、及び
前記信号のスペクトル振幅が最大である周波数に、予め決められた周波数シフトを加えるステップ。
【請求項３７】
請求項３６記載の方法であって、前記信号は音声信号であり、前記バンド幅の予め決められた部分は、その最低の周波数からその上に２ｋＨｚ広がったバンド幅のより低い部分を有しており、前記予め決められたシフト周波数は、実質的に５に等しい方法。
【請求項３８】
請求項３３記載の方法であって、前記第１及び第２の予め決められたオフセットが等しい大きさで符号が反対である方法。
【請求項３９】
予め決められた信号のバンド幅内で変化する強度を有する信号のブロックにバイナリービットを付加するように構成されたエンコーダであって、
前記ブロック内で、(ｉ)前記予め決められた信号のバンド幅内に於ける参照周波数と、(ｉｉ)前記参照周波数からの第１の予め決められたオフセットを有する第１のコード周波数と、(ｉｉｉ)前記参照周波数からの第２の予め決められたオフセットを有する第２のコード周波数とを選択するように構成されたセレクタと、
前記第１のコード周波数の周囲に広がる周波数の第１の近傍と、前記第２のコード周波数の周囲に広がる周波数の第２の近傍とに於ける信号のスペクトル振幅を検出するように構成されたディテクタと、
前記第１のコード周波数での前記スペクトルの振幅を前記周波数の第１の近傍に於いて最大とするために前記第１のコード周波数での前記スペクトルの振幅を増大させることにより、そして、前記第２のコード周波数での前記スペクトルの振幅を前記周波数の第２の近傍に於いて最小とするために前記第２のコード周波数での前記スペクトルの振幅を減少させることにより、前記バイナリービットを挿入するように構成されたビットインサータと
を備えたエンコーダ。
【請求項４０】
請求項３９記載のエンコーダであって、前記バイナリービットが「１」であるエンコーダ。
【請求項４１】
請求項３９記載のエンコーダであって、前記バイナリービットが「０」であるエンコーダ。
【請求項４２】
請求項３９記載のエンコーダであって、前記第１及び第２の周波数が、前記参照周波数、周波数ホップシーケンス数、並びに第１及び第２の予め決められたオフセットに従って選択されるエンコーダ。
【請求項４３】
請求項３９記載のエンコーダであって、前記信号に同期化ブロックが加えられ、前記同期化ブロックは三重音部分によって特徴付けられているエンコーダ。
【請求項４４】
請求項３９記載のエンコーダであって、前記第１及び第２の予め決められたオフセットが等しい大きさで符号が反対であるエンコーダ。
【請求項４５】
請求項３９記載のエンコーダであって、以下のステップを何度も繰り返すことにより、前記信号に複数のバイナリーコードビットが付加されるエンコーダ：
ａ）前記予め決められた信号バンド幅内の参照周波数を選択し、前記参照周波数からの第１の予め決められたオフセットを有する第１のコード周波数と、前記参照周波数からの第２の予め決められたオフセットを有する第２のコード周波数との両方をこれに関連づけるセレクタを使用するステップと、
ｂ）前記第１のコード周波数の周囲に広がる周波数の第１の近傍と、前記第２のコード周波数の周囲に広がる周波数の第２の近傍とに於ける信号のスペクトル振幅を検出するディテクタを使用するステップと、
ｃ）前記第１のコード周波数に於ける前記スペクトルパワーを前記周波数の第１の近傍に於いて最大にするように、前記第１のコード周波数に於ける前記スペクトルパワーを増大させるビットインサータを使用するステップと、
ｄ）前記第２のコード周波数に於ける前記スペクトルパワーを前記周波数の第２の近傍に於いて最小にするように、前記第２のコード周波数に於ける前記スペクトルパワーを減少させるビットインサータを使用するステップ。
【請求項４６】
スペクトル振幅と位相とを有する信号のブロックにコードのバイナリービットを付加するように構成されたエンコーダであって、前記スペクトル振幅と位相との両方が予め決められた信号バンド幅内で変化し、前記エンコーダは、前記ブロック内で、（ｉ）前記予め決められた信号のバンド幅内に於ける参照周波数と、（ｉｉ）前記参照周波数からの第１の予め決められたオフセットを有する第１のコード周波数と、（ｉｉｉ）前記参照周波数からの第２の予め決められたオフセットを有する第２のコード周波数とを選択するように構成されたセレクタと、
前記第１のコード周波数の近傍と前記第２のコード周波数の近傍の前記信号のスペクトルの振幅を検出するように構成されたディテクタと、
前記修正可能な信号成分の位相を、それが前記参照信号成分の位相から予め決められた量だけ異なるように、選択的に変更するように構成されたビットインサータと、
を備え、
前記セレクタは、対応するスペクトルの振幅がより小さい、修正可能な信号成分であるべき前記第１及び第２のコード周波数の一方に於いて前記信号の一部分を選択し、前記第１及び第２のコード周波数の他方に於いて、参照信号成分となるべき前記信号の一部分を選択するように更に構成された、エンコーダ。
【請求項４７】
請求項４６記載のエンコーダであって、前記バイナリービットが「１」であるエンコーダ。
【請求項４８】
請求項４６記載のエンコーダであって、前記バイナリービットが「０」であるエンコーダ。
【請求項４９】
請求項４６記載のエンコーダであって、前記第１及び第２のコード周波数が、前記参照周波数、周波数ホップシーケンス数、並びに第１及び第２の予め決められたオフセットに従って選択されるエンコーダ。
【請求項５０】
請求項４６記載のエンコーダであって、前記信号に同期化ブロックが加えられ、前記同期化ブロックは三重音部分によって特徴付けられているエンコーダ。
【請求項５１】
請求項４６記載のエンコーダであって、前記第１及び第２の予め決められたオフセットが等しい大きさで符号が反対であるエンコーダ。
【請求項５２】
請求項４６記載のエンコーダであって、以下のステップを何度も繰り返すことにより、前記信号に複数のバイナリーコードビットが付加されるエンコーダ：
ａ）前記ブロック内で、（ｉ）前記予め決められた信号のバンド幅内に於ける参照周波数と、（ｉｉ）前記参照周波数からの第１の予め決められたオフセットを有する第１のコード周波数と、（ｉｉｉ）前記参照周波数からの第２の予め決められたオフセットを有する第２のコード周波数とを選択するセレクタを使用するステップと、
ｂ）前記第１のコード周波数の近傍と前記第２のコード周波数の近傍の前記信号のスペクトルの振幅を検出するディテクタを使用するステップと、
ｃ）対応するスペクトルの振幅がより小さい、修正可能な信号成分であるべき前記第１及び第２のコード周波数の一方に於いて前記信号の一部分を選択し、前記第１及び第２のコード周波数の他方に於いて、参照信号成分となるべき前記信号の一部分を選択するセレクタを使用するステップと、
ｄ）前記修正可能な信号成分の位相を、それが前記参照信号成分の位相から予め決められた量だけ異なるように、選択的に変更するビットインサータを使用するステップ。
【請求項５３】
時間変化する強度を伴って伝送される信号のブロックからコードのバイナリービットをデコードするように構成されたデコーダであって、  前記ブロック内で、(ｉ)前記信号のバンド幅内に於ける参照周波数と、(ｉｉ)前記参照周波数からの第１の予め決められた周波数オフセットに於ける第１のコード周波数と、(ｉｉｉ)前記参照周波数からの第２の予め決められた周波数オフセットに於ける第２のコード周波数とを選択するように構成されたセレクタと、
前記第１及び第２のコード周波数のそれぞれの予め決められた周波数近傍内のスペクトルの振幅を検出するように構成されたディテクタと、
前記第１及び第２のコード周波数の一方がそのそれぞれの近傍に内で最大値であるこれに関連するスペクトル振幅を有し、及び前記第１及び第２のコード周波数の他方がそのそれぞれの近傍に内で最小値であるこれに関連するスペクトル振幅を有しているときに、前記バイナリービットを見出すように構成されたビットファインダと
を備えているデコーダ。
【請求項５４】
請求項５３記載のデコーダであって、前記信号は、以下によって特徴付けられた三重音を含んでいるデコーダ：
（ｉ）受領した信号が、参照周波数で前記参照周波数の予め決められた周波数近傍内の極大値であるスペクトル振幅を有し、
（ｉｉ）前記受領した信号が、第１のコード周波数で第１のコード周波数に対応する予め決められた周波数近傍内の極大値であるスペクトル振幅を有し、
（ｉｉｉ）前記受領した信号が、第２のコード周波数で第２のコード周波数に対応する予め決められた周波数近傍内の極大値であるスペクトル振幅を有している。
【請求項５５】
請求項５３記載のデコーダであって、前記セレクタが、前記第１及び第２のコード周波数を、前記参照周波数、周波数ホップシーケンス、並びに第１及び第２の予め決められたオフセットに従って選択するデコーダ。
【請求項５６】
請求項５３記載のデコーダであって、前記第１及び第２の予め決められた周波数オフセットが等しい大きさで符号が反対であるデコーダ。
【請求項５７】
請求項５３記載のデコーダであって、前記デコードされたバイナリービットが「１」ビットであるデコーダ。
【請求項５８】
請求項５３記載のデコーダであって、前記デコードされたバイナリービットが「０」ビットであるデコーダ。
【請求項５９】
時間変化する強度を伴って伝送される信号のブロックからコードのバイナリービットをデコードするように構成されたデコーダであって、  前記ブロック内で、(ｉ)前記信号のバンド幅内に於ける参照周波数と、(ｉｉ)前記参照周波数からの第１の予め決められた周波数オフセットに於ける第１のコード周波数と、(ｉｉｉ)前記参照周波数からの第２の予め決められた周波数オフセットに於ける第２のコード周波数とを選択するように構成されたセレクタと、
前記第１及び第２のコード周波数のそれぞれの予め決められた周波数近傍内の前記信号の位相を検出するように構成されたディテクタと、
前記第１のコード周波数に於ける位相が前記第２のコード周波数に於ける位相の予め決められた値の範囲内にあるときに、前記バイナリービットを見出すように構成されたビットファインダと
を備えているデコーダ。
【請求項６０】
請求項５９記載のデコーダであって、前記信号は、以下によって特徴付けられた三重音を含んでいるデコーダ：
（ｉ）受領した信号が、参照周波数で前記参照周波数の予め決められた周波数近傍内の極大値であるスペクトル振幅を有し、
（ｉｉ）前記受領した信号が、第１のコード周波数で第１のコード周波数に対応する予め決められた周波数近傍内の極大値であるスペクトル振幅を有し、
（ｉｉｉ）前記受領した信号が、第２のコード周波数で第２のコード周波数に対応する予め決められた周波数近傍内の極大値であるスペクトル振幅を有している。
【請求項６１】
請求項５９記載のデコーダであって、前記セレクタが、前記第１及び第２のコード周波数を、前記参照周波数、周波数ホップシーケンス、並びに第１及び第２の予め決められたオフセットに従って選択するデコーダ。
【請求項６２】
請求項５９記載のデコーダであって、前記第１及び第２の周波数オフセットが等しい大きさで符号が反対であるデコーダ。
【請求項６３】
請求項５９記載のデコーダであって、前記デコードされたバイナリービットが「１」ビットであるデコーダ。
【請求項６４】
請求項５９記載のデコーダであって、前記デコードされたバイナリービットが「０」ビットであるデコーダ。
【請求項６５】
信号をコードを用いてエンコードするためのエンコーディング装置であって、前記信号はビデオ部分と音声部分とを有し、前記エンコーディング装置は、前記信号の部分の一つをエンコードするように構成されたエンコーダと、前記エンコーダによって引き起こされる前記ビデオ部分と前記音声部分との間のどのような相対的な遅延も補償するように構成された補償器とを備えているエンコーディング装置。
【請求項６６】
請求項６５記載のエンコーディング装置であって、前記エンコーダは、前記信号の音声部分をエンコードするように構成された音声エンコーダであり、前記補償器は、前記音声エンコーダによって引き起こされる前記ビデオ部分と前記音声部分との間のどのような相対的な遅延も補償するように構成されているエンコーディング装置。
【請求項６７】
請求項６６記載のエンコーディング装置であって、ビデコードを用いて前記信号のビデオ部分をエンコードするように構成されたビデオエンコーダを更に有しているエンコーディング装置。
【請求項６８】
請求項６５記載のエンコーダであって、前記補償器は、前記エンコーダによって引き起こされる前記ビデオ部分と前記音声部分との間のどのような相対的な遅延も補償するために、前記音声部分に対して前記ビデオ部分を遅延させるデレイを有しているエンコーダ。
【請求項６９】
請求項６５記載のエンコーダであって、前記補償器は、前記エンコーダによって引き起こされる前記ビデオ部分と前記音声部分との間のどのような相対的な遅延も補償するために、他の部分に対して前記信号の部分の一つを遅延させるデレイを有しているエンコーダ。
【請求項７０】
受け取った信号からデータ要素を読み取る方法であって、  ａ）前記受け取った信号のｎ個のサンプルの第１のブロックのフーリエ変換を計算するステップと、ｂ）前記データ要素に対する第１のブロックをテストするステップと、ｃ）もし、前記データ要素が前記第１のブロック内に見つかれば、ＳＩＳ配列の配列要素ＳＩＳ［ａ］を予め決められた値に設定するステップと、ｄ）前記受け取った信号のｎ個のサンプルの第２のブロックに対するｎ個のサンプルの前記第１のブロックのフーリエ変換をアップデートするステップであって、前記第２のブロックは前記第１のブロックとｋ個のサンプルだけ異なり、そしてｋ＜ｎである、ステップと、ｅ）前記データ要素に対する第２のブロックをテストするステップと、ｆ）もし、前記データ要素が前記第１のブロック内に見つかれば、ＳＩＳ配列の配列要素ＳＩＳ［ａ＋１］を予め決められた値に設定するステップとを備えている方法。
【請求項７１】
請求項７０記載の方法であって、ステップｄ）が以下の式に従って実行され、
【数９】
2002521702.tif 000009
及び
【数１０】
2002521702.tif 000010
ここで、Ｆoldは第１のブロックに関連するフーリエ変換に於ける周波数であり、Ｆnewは第２のブロックに関連するアップデートされたフーリエ変換に於ける周波数であり、Ｕ0は着目している周波数インデックスである。
【請求項７２】
請求項７０記載の方法であって、ステップｄ）が、整数の周波数インデックスの範囲に限定される方法。
【請求項７３】
請求項７０記載の方法であって、ステップｄ）−ｆ）が、データ要素の予め決められた数ｍだけ繰り返される方法。
【請求項７４】
請求項７３記載の方法であって、
ｇ）前記データ要素の予め決められた数ｍが基準と比較されるステップと、
ｈ）生データ配列ＤＡの整数をステップｇ）に依存する値に設定するステップと、
を更に備えている方法。
【請求項７５】
請求項７４記載の方法であって、予め決められたデータ要素が見つかるまで、ステップｄ）−ｈ）を繰り返す方法。
【請求項７６】
予め決められた信号バンド幅内で変化する信号のブロックにバイナリーコードビットを付加するための方法であって、該方法は、以下のステップ、即ち、
ａ）予め決められた信号バンド幅内の参照信号を選択し、前記参照周波数からの第１の予め決められたオフセットを有する第１のコード周波数と前記参照周波数からの第２の予め決められたオフセットを有する第２のコード周波数との両方をこれと関連づけるステップと、
ｂ）前記第１のコード周波数の周囲に広がる周波数の第１の近傍と、前記第２のコード周波数の周囲に広がる周波数の第２の近傍とに於ける前記ブロック内の信号のスペクトルパワーを測定するステップであって、前記第１の周波数はスペクトルの振幅を有し、前記第２の周波数はスペクトルの振幅を有している、ステップと、
ｃ）前記第１のコード周波数のスペクトル振幅を、周波数の前記第１の近傍に於ける最大の振幅を有する周波数のスペクトル振幅と交換し、一方、前記第１の周波数と周波数の前記第１の近傍に於ける最大の振幅を有する周波数との両方に於ける位相角を保持するステップと、
ｄ）前記第２のコード周波数のスペクトル振幅を、周波数の前記第２の近傍に於ける最小の振幅を有する周波数のスペクトル振幅と交換し、一方、前記第２の周波数と周波数の前記第２の近傍に於ける最大の振幅を有する周波数との両方に於ける位相角を保持するステップと
を包含している方法。